(57)【要約】      （修正有）【課題】直接パターン形成の深さが制御出来、また、エッチング或いは他の工程が必要ない感光印圧プロセスを提供する。【解決手段】圧印技術で型板上に金属又は金属酸化物より予定のパターンに光を通さない突起が形成され、基板上に感光材を塗布し、該透明型板よりこの基板を圧印加工するとき、紫外線で感光材を硬化させ、型板と基板を分離した後、化学溶液でこの基板上の硬化されない感光材を除去することで、光を通さない突起を有する透明型板より感光材を圧印し硬化成形させ、必要の薄膜トランジスタが形成できる薄膜トランジスタの製造方法。【選択図】図７Ａ
2006073975.tif 000002
【特許請求の範囲】
【請求項１】
ガラス基板を配置する工程と、
このガラス基板上にネガ感光材を塗布する工程と、
透明型板を配置し所定のパターンに光を通さない突起を設ける工程と、
この透明型板をガラス基板に加圧する工程と、
紫外線（ＵＶ）でこのネガ感光材を露光、硬化成形する工程と、
この透明型板とガラス基板を分離した後、化学溶液で洗浄し光を通さない突起の遮蔽によって硬化成形されないネガ感光材を除去する工程とを含み、
光を通さない突起を有する透明型板よりネガ感光材を圧印し硬化成形されることで、必要の薄膜トランジスタが形成されることを特徴とする薄膜トランジスタの製造方法。
【請求項２】
スピンコーティングよりネガ感光材を作成することを特徴とする請求項１に記載の薄膜トランジスタの製造方法。
【請求項３】
前記透明型板は所定の深さまでにネガ感光材を加圧することを特徴とする請求項１に記載の薄膜トランジスタの製造方法。
【請求項４】
前記ネガ感光材は、半導体材や導電材或は絶縁材を用い、必要の薄膜トランジスタが形成できることを特徴とする請求項１に記載の薄膜トランジスタの製造方法。
【請求項５】
前記透明型板はガラス或は石英であり、前記光を通さない突起は金属材であることを特徴とする
請求項１に記載の薄膜トランジスタの製造方法。
【請求項６】
前記付着層は光を通さない突起と透明型板との間に位置され、この付着層の熱膨張係数はこの光を通さない突起とこの透明型板との間に介入されることを特徴とする請求項５に記載の薄膜トランジスタの製造方法。
【請求項７】
前記付着層は金属材よりなる金属酸化物で作成されることを特徴とする請求項６に記載の薄膜トランジスタの製造方法。
【請求項８】
前記金属材はクロム(Ｃｒ）、モリブデン(Ｍｏ)或はタングステン(Ｗ)などの遷移金属元素であり、前記金属酸化物材はクロム(Ｃｒ）、モリブデン(Ｍｏ)或はタングステン(Ｗ）などの遷移金属元素よりなる酸化物であることを特徴とする請求項７に記載の薄膜トランジスタの製造方法。
【請求項９】
前記金属材には、前記ネガ感光材透に対しデウェッティング性を有するデウェッティング層がめっきされることを特徴とする請求項５に記載の薄膜トランジスタの製造方法。
【請求項１０】
前記デウェッティング層はテフロン（登録商標）であることを特徴とする請求項９に記載の薄膜トランジスタの製造方法。
【請求項１１】
前記透明型板に加圧する前に、感光素子で前記透明型板とガラス基板にアラインメントすることを特徴とする請求項１に記載の薄膜トランジスタの製造方法。
【請求項１２】
前記感光素子は、電荷結合素子ＣＣＤ或は相補性金属酸化膜半導体ＣＭＯＳであることを特徴とする請求項１１に記載の薄膜トランジスタの製造方法。
【請求項１３】
所定のパターンに硬化成形されるネガ感光材層を有するガラス基板と、
所定のパターンに布設される光を通さない突起を有する透明型板とを備え、
このネガ感光材は紫外線で露光し硬化成形され、光を通さない突起の遮蔽によって硬化成形されないネガ感光材は、化学溶液で洗浄され、
光を通さない突起を有する透明型板よりネガ感光材を圧印し硬化成形されることで、必要の薄膜トランジスタが形成できることを特徴とする薄膜トランジスタの製造方法の薄膜トランジスタ作成構造。
【請求項１４】
前記ネガ感光材は、半導体材や導電材或は絶縁材であることを特徴とする請求項１３に記載の薄膜トランジスタの製造方法の薄膜トランジスタ作成構造。
【請求項１５】
前記透明型板はガラス或は石英であり、前記光を通さない突起は金属材であることを特徴とする請求項１３に記載の薄膜トランジスタの製造方法の薄膜トランジスタ作成構造。
【請求項１６】
前記付着層は光を通さない突起と透明型板との間に設けられ、この付着層の熱膨張係数はこの光を通さない突起とこの透明型板との間に介入されることを特徴とする請求項１５に記載の薄膜トランジスタの製造方法の薄膜トランジスタ作成構造。
【請求項１７】
前記付着層は金属材よりなる金属酸化物で作成されることを特徴とする請求項１６に記載の薄膜トランジスタの製造方法の薄膜トランジスタ作成構造。
【請求項１８】
前記金属材はクロム（Ｃｒ）、モリブデン(Ｍｏ）或はタングステン(Ｗ）などの遷移金属元素であり、前記金属酸化物材はクロム（Ｃｒ）、モリブデン(Ｍｏ)或はタングステン(Ｗ)などの遷移金属元素よりなる酸化物であることを特徴とする請求項１７に記載の薄膜トランジスタの製造方法の薄膜トランジスタ作成構造。
【請求項１９】
前記金属材には、前記ネガ感光材透に対しデウェッティング性を有するデウェッティング層がめっきされることを特徴とする請求項１３に記載の薄膜トランジスタの製造方法の薄膜トランジスタ作成構造。
【請求項２０】
前記デウェッティング層はテフロン（登録商標）であることを特徴とする請求項１９に記載の薄膜トランジスタの製造方法の薄膜トランジスタ作成構造。
【請求項２１】
所定のパターンに硬化成形されるネガ感光材層を有するガラス基板と、
所定のパターンに布設される光を通さない突起を有する透明型板とを備え、
この光を通さない突起とこの透明型板との間に付着層があり、この付着層の熱膨張係数はこの光を通さない突起とこの透明型板との間に介入され、
また、このネガ感光材は紫外線で露光し硬化成形され、光を通さない突起の遮蔽によって硬化成形されないネガ感光材は、化学溶液で洗浄され、光を通さない突起を有する透明型板よりネガ感光材を圧印し硬化成形されることで、必要の薄膜トランジスタが形成できることを特徴とする薄膜トランジスタの製造方法の薄膜トランジスタ作成構造。
【請求項２２】
前記ネガ感光材は、半導体材や導電材或は絶縁材であることを特徴とする請求項２１に記載の薄膜トランジスタの製造方法の薄膜トランジスタ作成構造。
【請求項２３】
前記透明型板はガラス或は石英であり、前記光を通さない突起は金属材であることを特徴とする請求項２１に記載の薄膜トランジスタの製造方法の薄膜トランジスタ作成構造。
【請求項２４】
前記付着層は金属材よりなる金属酸化物で作成されることを特徴とする請求項２３に記載の薄膜トランジスタの製造方法の薄膜トランジスタ作成構造。
【請求項２５】
前記金属材はクロム（Ｃｒ）、モリブデン（Ｍｏ）或はタングステン（Ｗ）などの遷移金属元素であり、前記金属酸化物材はクロム（Ｃｒ）、モリブデン（Ｍｏ）或はタングステン（Ｗ）などの遷移金属元素よりなる酸化物であることを特徴とする請求項２４に記載の薄膜トランジスタの製造方法の薄膜トランジスタ作成構造。
【請求項２６】
前記金属材には、前記ネガ感光材透に対しデウェッティング（ｄｅ−Ｗｅｔｔｉｎｇ）性を有するデウェッティング層がめっきされることを特徴とする請求項２１に記載の薄膜トランジスタの製造方法の薄膜トランジスタ作成構造。
【請求項２７】
前記デウェッティング層はテフロン（登録商標）であることを特徴とする請求項２６に記載の薄膜トランジスタの製造方法の薄膜トランジスタ作成構造。
【発明の詳細な説明】
【技術分野】
【０００１】
本発明は、薄膜トランジスタの製造方法に関わるもので、特に半導体製造プロセスを代わることできる薄膜トランジスタの製造方法に関するものである。
【背景技術】
【０００２】
一般的に、従来の薄膜トランジスタの製造方法は、半導体製造プロセスの技術よりなされ、薄膜や黄色光やエッチングなどの技術を含み、製造時間が掛かり過ぎ、かつ、製造設備の費用が高いなどの問題があるため望ましくない。
【０００３】
従来の半導体プロセスでは、先に化学蒸着法（ＣＶＤ）より半導体と絶縁体薄膜を積層し、物理蒸着法（ＰＶＤ）より導体薄膜を積層しなければならなく、そして、さらに黄色光工程とエッチング工程よりパターンが定義されており、上記のような積層装置およびエッチング装置はともに高価なものである。
【発明の開示】
【発明が解決しようとする課題】
【０００４】
図１Ａ〜図１Ｄに示すように、第１の先行技術は、従来の感光圧印製造プロセスであり、透明型板１ａに光透過性のある突起が設けられ、その透明型板１ａをガラス基板２ａに近接させるとき、その間隔内に感光材３ａを注入し、紫外線より露光、硬化定形された後、ドライエッチング或はウェットエッチングを行い一部余分の感光材３ａを除去することより、薄膜トランジスタが作成されるが、従来の感光圧印で作成される該突起は、光透過性があるため、感光材３ａが全て露光、成形され、別途で利用されるエッチング工程は、一部の要はない感光材３ａを除去する以外、さらにフォトレジストとしてパターン成形の深さまでに達する意義がある。
【０００５】
図２は、米国特許ＵＳ６，５１８，１８９号に掲示されるナノインプリント法を示すフローチャートであり、図２に示すように、第２の先行技術は、不透明型板１ｂに突起が設けられ、その不透明型板１ｂが熱塑性高分子材３ｂを塗布した基板２ｂに圧印されており、熱塑性高分子材の独特性質の理由で、加熱（３００℃以上）と加圧より分子を溶融させ一体に硬化する必要があるため、熱塑性高分子材が必要ある工程条件は十分に注意して条件に合わせてその圧印設備を使用しなければならなく、また、熱塑性高分子材は冷却成形に経った後も、さらにエッチング工程を行い必要のパターンを残留させなければならない。
【０００６】
図３は、米国特許ＵＳ５，９００，１６０号に掲示されるマイクロコンタクトプリンティングを示すフローチャートであり、図３に示すように、第３の先行技術は、渦輪式金型１ｃが回転ローリングの方式で、微粒子分子層３ｃのある基板２ｃに圧印加工するが、このような方式はアラインメントの安定性や正確性が欠けており、また、金型材はジメチルシロキサン（ＰＤＭＳ）より作成され、摩耗変形しやすく、さらにパターン圧印の正確性に影響することになる。
【０００７】
図４は、米国特許ＵＳ６，０６０，１２１号に掲示されるマイクロコンタクトプリンティングを示すフローチャートであり、図４に示すように、第４の先行技術は、表面に圧印材３ｄが塗布され突起のある型板１ｄを用い、基板２ｄに薄膜４ｄが圧印されるが、このような方法で成形される材料は薄すぎて、パターン厚さを増加させる為、その上に他の工程で他の材質が形成しなければならない。
【０００８】
図５Ａ〜図５Ｄは、米国特許ＵＳ６，３８０，１０１号に掲示されるマイクロコンタクトプリンティングを示すフローチャートであり、図５Ａ〜図５Ｄに示すように、第５の先行技術は、表面に圧印材３ｅが塗布され突起のある型板１ｅを用い、基板２ｅに薄膜４ｅが圧印されるが、このような方法は、第１の先行技術の従来の感光圧印製造プロセスに似ており、圧印材３ｅも同じフォトレジストとして後続のエッチング工程に用いる。
【０００９】
図６Ａ〜図６Ｄは、米国特許ＵＳ６，４１３，５８７号に掲示されるマイクロコンタクトプリンティングを示すフローチャートであり、図６Ａ〜図６Ｄに示すように、第６の先行技術は、表面に圧印材３ｆが塗布され突起のある型板１ｆを用い、基板２ｆに薄膜４ｆが圧印されるが、このような方法は、第４の先行技術のマイクロコンタクトプリンティングに似ており、圧印材が薄すぎて、パターン厚さを増加させる為、その上に他の材質が形成しなければならない。
【００１０】
また、第３〜第６の先行技術が掲示されたコンタクトプリンティングは、先ず、ともに高分子材のプリント鋳込み型を作成しなければならなく、このプリント鋳込み型は十分な変形が可能かつ圧印の後に基板と分離しやすくなるが、柔軟性物は弾性特性があるため、金型上のパターンはプレスの影響を受けプリントのときに欠陥が発生し、圧印の正確性まで影響する。また、高分子材自身の化学特性のため、金型は非極性有機溶剤（例えば、トルエン、ヘキサン）と反応しやすく体積を膨張させることになるので、製造環境を制御しなければならなくなる。
【００１１】
ここで、本発明者は、上記の欠点を鑑みて、熱心な研究により、やっと合理な設計且つ前記の欠点を有効に改善できた本発明を提案した。
【課題を解決するための手段】
【００１２】
本発明の主な目的は、簡単な工程で半導体製造プロセスに代わり、作成効率向上並びにコストを下げることができる薄膜トランジスタの製造方法及びその構造を提供する。
【００１３】
本発明のもう一つの目的は、直接パターン成形の深さが制御出でき、また、エッチング或は他の工程が必要ない薄膜トランジスタの製造方法及びその構造を提供する。
【００１４】
上記の目的を達成する為に、本発明は、ガラス基板を配置する工程と、このガラス基板上にネガ感光材を塗布する工程と、透明型板を配置し所定のパターンに光を通さない突起を設ける工程と、この透明型板をガラス基板に加圧する工程と、紫外線（ＵＶ）でこのネガ感光材を露光、硬化成形する工程と、この透明型板とガラス基板を分離した後、化学溶液で洗浄し光を通さない突起の遮蔽によって硬化成形されないネガ感光材を除去する工程とを含み、光を通さない突起を有する透明型板よりネガ感光材を圧印し硬化成形されることで、必要の薄膜トランジスタが形成できる薄膜トランジスタの製造方法を提供する。
【００１５】
上記の目的を達成する為に、本発明は、所定のパターンに硬化成形されるネガ感光材層を有するガラス基板と、所定のパターンに布設される光を通さない突起を有する透明型板とを備え、このネガ感光材は紫外線で露光し硬化成形され、光を通さない突起の遮蔽によって硬化成形されないネガ感光材は、化学溶液で洗浄され、光を通さない突起を有する透明型板よりネガ感光材を圧印し硬化成形されることで、必要の薄膜トランジスタが形成できる薄膜トランジスタの作成構造を提供する。
【００１６】
上記の目的を達成する為に、本発明は、所定のパターンに硬化成形されるネガ感光材層を有するガラス基板と、所定のパターンに布設される光を通さない突起を有する透明型板とを備え、この光を通さない突起とこの透明型板との間に付着層があり、この付着層の熱膨張係数はこの光を通さない突起とこの透明型板との間に介入され、また、このネガ感光材は紫外線で露光し硬化成形され、光を通さない突起の遮蔽によって硬化成形されないネガ感光材は、化学溶液で洗浄され、光を通さない突起を有する透明型板よりネガ感光材を圧印し硬化成形されることで、必要の薄膜トランジスタが形成できる薄膜トランジスタの作成構造を提供する。
【００１７】
本発明の特徴及び技術内容を更に理解させるため、以下の本発明に係わる詳細な説明及び添付図面を参考にできるが、添付図面は参考及び説明用だけに提供され、本発明に制限するものではない。
【発明を実施するための最良の形態】
【００１８】
本発明は、透明型板に光を通さない突起が設けられ、さらにネガ感光材が塗布された基板上に圧印され、この光を通さない突起が、一部の感光材をマスキングでき、紫外線の照射より硬化されることを避けられ、さらに化学溶液で硬化成形されないネガ感光材を洗浄し除去され、エッチング又は他の工程が別途で利用されることなく、直接基板上のパターン定義が完成でき、かつ直接パターンの深さが定義できる。本発明は、性質が異なる感光材を用い薄膜トランジスタの各層構造に適応でき、例えば、活性層やオーミックコンタクト層などの半導体材を半導体層とし、ゲート電極やソース・ドレイン電極やコンタクトパッドやキャパシタンス電極やサーキットラインなどの導電材を導線又は電極層とし、並びに、絶縁層や誘電体層やパッシベーション層などの絶縁材で分離に用いることができる。それは明らかに半導体製造プロセスの複雑な工程より簡単かつ快速の製造フローがあり、半導体設備のコストも節約できる。
【００１９】
図７Ａ〜図７Ｃは、薄膜トランジスタの製造方法を実施することを示す図であり、図７Ａに示すように、先ず、ガラス基板２を配置し、このガラス基板２上にネガ感光材３がスピンコーティング、また透明型板１を配置し所定のパターンに光を通さない突起１１を設けることを含む。図７Ｂに示すように、この透明型板１をガラス基板２に水平に圧し、ネガ感光材３に均一の圧力を与え、この透明型板１を所定の深さまでにネガ感光材３に圧下されることが制御でき、かつネガ感光材３は透明型板１とガラス基板２との間に流れ充填でき、さらに紫外線（ＵＶ）４でこのネガ感光材３を露光、硬化成形させ、その時、光を通さない突起１１がその直下のネガ感光材３をマスキング出来、紫外線４の照射より硬化されことを避けられる。図７Ｃに示すように、この透明型板１とガラス基板２を分離した後、特定の化学溶液で洗浄し光を通さない突起１１の遮蔽によって硬化成形されないネガ感光材３を除去し、ガラス基板２上のパターン化する工程が完成する。光を通さない突起１１を有する透明型板１よりネガ感光材３を圧印し硬化成形されることで、性質が異なる感光材（例えば、半導体材や導電材或は絶縁材）を用い薄膜トランジスタの各層構造に適応でき、必要の薄膜トランジスタが形成できる。
【００２０】
この透明型板１は、例えば、ガラス或は石英である透光材より作成され、また作成された光を通さない突起１１は、例えば、クロム（Ｃｒ）、モリブデン（Ｍｏ）、タングステン（Ｗ）である金属などの光を通さない材料で作成され、光を通さない突起１１の作成高度は、プロセスが要求する高度よりやや低い。
【００２１】
この透明型板１の作成は、半導体製造プロセスで清浄し、物理蒸着法（ＰＶＤ）より付着層５（例えば、金属酸化物）をめっきした後、さらに、光を通さない突起１１（例えば、金属薄膜）がめっきされており、図８に示すように、付着層５は、この光を通さない突起１１とこの透明型板１との間に設けられ、この熱膨張係数は、この光を通さない突起１１とこの透明型板１との間に介入され、また、付着層５は、この光を通さない突起１１の金属材が形成する金属酸化物材より作成される。好ましい態様は、クロムを用いるとき、先ず厚さが５００Å以下である酸化クロム層をめっきし、さらにクロムの実際の厚さを後ろの圧印が予期するパターンの高さより略低くするようにクロムをめっきし、その差は後続の圧力及び材料接着度に関わり、好ましい差は約１０％以内である。金属薄膜をめっきした後に、さらに黄色光やエッチング（プラズマエッチングやウェットエッチング、Ｅ−ｂｅａｍフォトエッチング或はレーザー描きなど）の工程でパターンを定義し、さらに透明な材料（例えば、テフロン（登録商標））を均一に塗布し、テフロン（登録商標）は圧印材に対しデウェッティング（ｄｅ−Ｗｅｔｔｉｎｇ）効果があるため、その層をデウェッティング層６に称する。
【００２２】
透明型板に加圧する前に、感光素子で透明型板１とガラス基板２にアラインメントする、この感光素子は、電荷結合素子ＣＣＤ或は相補性金属酸化膜半導体ＣＭＯＳことができる。
【００２３】
本発明の薄膜トランジスタの製造方法及びその構造は、以下の有利点がある。
１．本発明は、半導体製造プロセスの複雑な工程より簡単かつ快速の製造フローがあり、半導体設備のコストも節約できる。
２．本発明は、直接パターン成形の深さが制御でき、また他の工程が必要なくコストが下げられる。
３．本発明は、全て又は部分的な半導体製造プロセスに代わり薄膜トランジスタの各層構造を作成でき、必要に応じて作成しコストを下げる。
４．本発明は、長持ちできる金属突起を設け圧印することで、変形し難いため、パターン圧印の正確性や安定性はともに従来の技術より高い。
【図面の簡単な説明】
【００２４】
【図１Ａ】図１Ａは、従来の感光圧印製造プロセスを示すフローチャートである。
【図１Ｂ】図１Ｂは、従来の感光圧印製造プロセスを示すフローチャートである。
【図１Ｃ】図１Ｃは、従来の感光圧印製造プロセスを示すフローチャートである。
【図１Ｄ】図１Ｄは、従来の感光圧印製造プロセスを示すフローチャートである。
【図２】図２は、米国特許ＵＳ６，５１８，１８９号に掲示されるナノインプリント法を示すフローチャートである。
【図３】図３は、米国特許ＵＳ５，９００，１６０号に掲示されるマイクロコンタクトプリンティングを示すフローチャートである。
【図４Ａ】図４Ａは、米国特許ＵＳ６，０６０，１２１号に掲示されるマイクロコンタクトプリンティングを示すフローチャートである。
【図４Ｂ】図４Ｂは、米国特許ＵＳ６，０６０，１２１号に掲示されるマイクロコンタクトプリンティングを示すフローチャートである。
【図４Ｃ】図４Ｃは、米国特許ＵＳ６，０６０，１２１号に掲示されるマイクロコンタクトプリンティングを示すフローチャートである。
【図４Ｄ】図４Ｄは、米国特許ＵＳ６，０６０，１２１号に掲示されるマイクロコンタクトプリンティングを示すフローチャートである。
【図５Ａ】図５Ａは、米国特許ＵＳ６，３８０，１０１号に掲示されるマイクロコンタクトプリンティングを示すフローチャートである。
【図５Ｂ】図５Ｂは、米国特許ＵＳ６，３８０，１０１号に掲示されるマイクロコンタクトプリンティングを示すフローチャートである。
【図５Ｃ】図５Ｃは、米国特許ＵＳ６，３８０，１０１号に掲示されるマイクロコンタクトプリンティングを示すフローチャートである。
【図５Ｄ】図５Ｄは、米国特許ＵＳ６，３８０，１０１号に掲示されるマイクロコンタクトプリンティングを示すフローチャートである。
【図６Ａ】図６Ａは、米国特許ＵＳ６，４１３，５８７号に掲示されるマイクロコンタクトプリンティングを示すフローチャートである。
【図６Ｂ】図６Ｂは、米国特許ＵＳ６，４１３，５８７号に掲示されるマイクロコンタクトプリンティングを示すフローチャートである。
【図６Ｃ】図６Ｃは、米国特許ＵＳ６，４１３，５８７号に掲示されるマイクロコンタクトプリンティングを示すフローチャートである。
【図６Ｄ】図６Ｄは、米国特許ＵＳ６，４１３，５８７号に掲示されるマイクロコンタクトプリンティングを示すフローチャートである。
【図７Ａ】図７Ａは、本発明の好ましい実施例で、薄膜トランジスタの製造方法を実施することを示す図である。
【図７Ｂ】図７Ｂは、本発明の好ましい実施例で、薄膜トランジスタの製造方法を実施することを示す図である。
【図７Ｃ】図７Ｃは、本発明の好ましい実施例で、薄膜トランジスタの製造方法を実施することを示す図である。
【図８】図８は、本発明の型板を示す側面図である。
【符号の説明】
【００２５】
１透明型板
２ガラス基板
３ネガ感光材
４紫外線（ＵＶ）
５付着層
６デウェッティング層
１１光を通さない突起
【図１Ａ】
2006073975.tif 000003
【図１Ｂ】
2006073975.tif 000004
【図１Ｃ】
2006073975.tif 000005
【図１Ｄ】
2006073975.tif 000006
【図２】
2006073975.tif 000007
【図３】
2006073975.tif 000008
【図４Ａ】
2006073975.tif 000009
【図４Ｂ】
2006073975.tif 000010
【図４Ｃ】
2006073975.tif 000011
【図４Ｄ】
2006073975.tif 000012
【図５Ａ】
2006073975.tif 000013
【図５Ｂ】
2006073975.tif 000014
【図５Ｃ】
2006073975.tif 000015
【図５Ｄ】
2006073975.tif 000016
【図６Ａ】
2006073975.tif 000017
【図６Ｂ】
2006073975.tif 000018
【図６Ｃ】
2006073975.tif 000019
【図６Ｄ】
2006073975.tif 000020
【図７Ａ】
2006073975.tif 000021
【図７Ｂ】
2006073975.tif 000022
【図７Ｃ】
2006073975.tif 000023
【図８】
2006073975.tif 000024